(57)【要約】  【課題】  簡単な構成で、高精度に調整が可能であり、しかも低コストの傾角調整機構を提供する。  【解決手段】  シャーシ１上にはピックアップ２が設けられており、ガイドシャフト３により一端が摺動自在にガイドされる。ピックアップ２の他端側には、シャーシ１上にガイド板４が設けられており、これとガイドシャフト３との協働によりピックアップ２がガイドされる。ピックアップの傾きを調整する際には、ガイド板４をその両端部でシャーシ１に取り付けるとともに高さを調整する調整ネジ６各々を回すことで、ディスクの接線方向に関するピックアップ２の傾きを調整することができ、ガイドシャフト３のターンテーブル側端部の高さを調整する調整ネジ７と、ターンテーブル側の調整ネジ６とを回すことで、ディスクの半径方向に関するピックアップ２の傾きを調整することができる。【選択図】      図１
0003110698.tif 000002
【実用新案登録請求の範囲】
【請求項１】
基台としての板金よりなる略平板状のシャーシと、該シャーシ上にてピックアップがデ
ィスクの半径方向に沿って移動するようガイドする主軌道部としての棒状のガイドシャフ
トと、前記シャーシ上にて前記ピックアップがディスクの半径方向に沿って移動するよう
前記ガイドシャフトと協働してガイドする副軌道部としての板金よりなる長板状のガイド
板とを有し、
前記ガイド板はその両端において、前記シャーシに対してそれぞれ第１の圧縮コイルバ
ネを介して第１の調整ネジにより取り付けられており、前記ガイドシャフトはその一端が
前記シャーシに対して第２の圧縮コイルバネを介して第２の調整ネジにより取り付けられ
ていて、
前記ガイド板をその両端における前記第１の調整ネジ各々の旋回により上下させること
で、前記ピックアップが前記ガイドシャフトを中心に回動し、ディスク接線方向の傾きが
調整され、
前記ガイドシャフトの一端を前記第２の調整ネジの旋回により上下させることで、前記
ガイドシャフトがその他端を中心に回動するとともに、前記ガイド板の一端をその前記第
１の調整ネジの旋回により上下させることで、前記ガイド板がその他端を中心に回動し、
これにより前記ピックアップが前記各軌道部の他端を中心に回動して、ディスク半径方向
の傾きが調整されるようにしたことを特徴とする傾角調整機構。
【請求項２】
基台と、該基台上にてピックアップが所定方向に沿って移動するようガイドする主軌道
部と、前記基台上にて前記ピックアップが前記所定方向に沿って移動するよう前記主軌道
部と協働してガイドする副軌道部とを有し、
前記副軌道部はその両端において、前記基台に対してそれぞれ第１の圧縮コイルバネを
介して第１の調整ネジにより取り付けられており、前記主軌道部はその一端が前記基台に
対して第２の圧縮コイルバネを介して第２の調整ネジにより取り付けられていることを特
徴とする傾角調整機構。
【請求項３】
前記基台は板金よりなる略平板状のシャーシであり、前記主軌道部は棒状のガイドシャ
フトであり、前記副軌道部は板金よりなる長板状のガイド板であることを特徴とする請求
項２に記載の傾角調整機構。
【請求項４】
前記ガイド板をその両端における前記第１の調整ネジ各々の旋回により上下させること
で、前記ピックアップが前記ガイドシャフトを中心に回動するようにして、
前記ガイドシャフトの一端を前記第２の調整ネジの旋回により上下させることで、前記
ガイドシャフトがその他端を中心に回動するとともに、前記ガイド板の一端をその前記第
１の調整ネジの旋回により上下させることで、前記ガイド板がその他端を中心に回動し、
これにより前記ピックアップが前記各軌道部の他端を中心に回動するようにしたことを特
徴とする請求項３に記載の傾角調整機構。
【考案の詳細な説明】
【技術分野】
【０００１】
本考案は、傾角調整機構に関するものであり、例えばディスクを再生するディスク再生
装置に適用して好適な、傾角調整機構に関するものである。
【背景技術】
【０００２】
従来より、例えばＣＤ，ＤＶＤ等の光ディスクを再生するディスク再生装置においては
、ディスクにレーザが垂直に当たるように、ディスクに対するピックアップの傾きを調整
する傾角調整機構が用いられている。図４は、従来の傾角調整機構を用いたディスク再生
装置の上側要部斜視図である。同図において、ディスク再生装置のシャーシ１０１上には
、図示しないピックアップが搭載されるブロック状のベース１０２が設けられており、こ
れはディスクの半径方向に沿って移動するよう、主軌道部としてのガイドシャフト１０３
により、一端が摺動自在にガイドされている。
【０００３】
また、ベース１０２の他端側には、シャーシ１０１の部分よりなる副軌道部としてのガ
イド部１０１ａが設けられており、これとガイドシャフト１０３との協働によりベース１
０２がガイドされる。なお、ベース１０２上でガイドシャフト１０３近傍には、軸方向に
沿って延在するラック部１０２ａが設けられており、これが図示しないピックアップ駆動
機構と連動することにより、ベース１０２がガイドシャフト１０３に沿って駆動される。
また、シャーシ１０１は主に樹脂成型品よりなる。
【０００４】
一方、ピックアップの軌道部の一端側には、シャーシ１０１上にプレート１０４が設け
られており、その上面にはディスクを載置して回転するターンテーブル１０５が突設し、
下面にはそのターンテーブル１０５を回転させるスピンドルモータ（後述）が突設してい
る。
【０００５】
ディスクに対するピックアップの傾きを調整する際には、ベース１０２の他端側（ガイ
ド部１０１ａ側）に設けたＴａｎ調整ネジ１０６を回すことにより、ディスクの接線方向
に関するベース１０２の傾きを調整することができ、また、プレート１０４のピックアッ
プとは反対側に設けたＲａｄ調整ネジ１０７を回すことにより、ディスクの半径方向に関
するプレート１０４の傾きを調整することができる。
【０００６】
図５は、上記Ｔａｎ調整ネジ１０６付近の拡大図であり、同図（ａ）が上側斜視図、同
図（ｂ）が下側斜視図である。同図に示すように、ベース１０２の他端側には、リール状
の係合部１０８が設けられており、この鍔部によりガイド部１０１ａを挟持しているので
、この係合部１０８をＴａｎ調整ネジ１０６の旋回により上下させることで、ベース１０
２がガイドシャフト１０３を中心に回動し、ディスク接線方向の傾きが調整される仕組み
である。なお、ピックアップ駆動時には、この係合部１０８がガイド部１０１ａに沿って
摺動しつつ移動する。
【０００７】
図６は、上記Ｒａｄ調整ネジ１０７付近の拡大図であり、同図（ａ）が上側斜視図、同
図（ｂ）が下側斜視図である。同図に示すように、プレート１０４のピックアップとは反
対側の端部は、圧縮コイルバネである調整用スプリング１０９を介して、Ｒａｄ調整ネジ
１０７によりシャーシ１０１と連結されているので、この端部をＲａｄ調整ネジ１０７の
旋回により上下させることで、プレート１０４がピックアップ側の端部（不図示）を中心
に回動し、ディスク半径方向の傾きが調整される仕組みである。なお、同図の１１０はス
ピンドルモータである。
【０００８】
その他、簡素な構成で、ベース上の占有スペースが可及的少なくて光ディスク装置の薄
型化に有利であり、高精度にガイドシャフトの高さ方向姿勢調整を行うことができるとし
た、光ピックアップ用ガイドシャフトの高さ方向角度調整機構が、特許文献１に開示され
ている。また、ノートパソコンにも搭載可能な薄型・小型であるとした光ディスク装置、
及び光ピックアップのチルト調整誤差を低減して性能向上を図り、さらに組立性をも向上
しうるとした光ディスク装置の組立方法が、特許文献２に開示されている。
【特許文献１】特開２００２−２２２５７１号公報
【特許文献２】特開平１１−１４９７２４号公報
【考案の開示】
【考案が解決しようとする課題】
【０００９】
しかしながら、上記図４〜図６で説明したような従来の構成では、ディスクの接線方向
及び半径方向の傾きを調整する機構が、それぞれ別の系統で設けられており、部品構成が
大掛かりでコストアップの要因となっている。また、上記特許文献１に記載されているよ
うな構成では、副軌道部にも高価なガイドシャフトを使用している上に、引っ張りバネを
用いた特別の構造や、専用のねじりバネを用いた構造としなくてはならず、これも大掛か
りでコストアップの要因となっている。
【００１０】
また、上記特許文献２に記載されているような構成では、同様に副軌道部にもガイドシ
ャフトを使用している上に、円錐状である特別のコイルバネを用いた構造としなくてはな
らず、これも大掛かりでコストアップの要因となっている。本考案は、このような問題点
に鑑み、簡単な構成で、高精度に調整が可能であり、しかも低コストの傾角調整機構を提
供することを目的とする。
【課題を解決するための手段】
【００１１】
上記目的を達成するために、本考案では、基台と、その基台上にてピックアップが所定
方向に沿って移動するようガイドする主軌道部と、前記基台上にて前記ピックアップが前
記所定方向に沿って移動するよう前記主軌道部と協働してガイドする副軌道部とを有し、
前記副軌道部はその両端において、前記基台に対してそれぞれ第１の圧縮コイルバネを
介して第１の調整ネジにより取り付けられており、前記主軌道部はその一端が前記基台に
対して第２の圧縮コイルバネを介して第２の調整ネジにより取り付けられていることを特
徴とする。
【００１２】
また、前記基台は板金よりなる略平板状のシャーシであり、前記主軌道部は棒状のガイ
ドシャフトであり、前記副軌道部は板金よりなる長板状のガイド板であることを特徴とす
る。
【００１３】
さらに、前記ガイド板をその両端における前記第１の調整ネジ各々の旋回により上下さ
せることで、前記ピックアップが前記ガイドシャフトを中心に回動するようにして、
前記ガイドシャフトの一端を前記第２の調整ネジの旋回により上下させることで、前記
ガイドシャフトがその他端を中心に回動するとともに、前記ガイド板の一端をその前記第
１の調整ネジの旋回により上下させることで、前記ガイド板がその他端を中心に回動し、
これにより前記ピックアップが前記各軌道部の他端を中心に回動するようにしたことを特
徴とする。
【考案の効果】
【００１４】
本考案によれば、簡単な構成で、高精度に調整が可能であり、しかも低コストの傾角調
整機構を提供することができる。
【００１５】
具体的には、ピックアップの副軌道部として長板状の板金の両端部に取付孔を開けただ
けの部品を用いており、またシャーシも板金部品としていて、さらには傾角調整用の部品
として一般的なビス及び圧縮コイルバネを用いただけのシンプルな構成としているので、
コストメリットがあり、しかも高精度な調整が可能な傾角調整機構を実現することができ
る。
【考案を実施するための最良の形態】
【００１６】
以下、本考案の実施の形態について、図面を参照しながら説明する。
【実施例１】
【００１７】
図１は、本考案の実施例１に係る傾角調整機構を用いたディスク再生装置の斜視図であ
り、同図（ａ）は上側要部斜視図、同図（ｂ）は下側要部斜視図である。同図において、
ディスク再生装置の基台としての板金よりなる略平板状のシャーシ１上には、ブロック状
のピックアップ２が設けられており、これはディスクの半径方向に沿って移動するよう、
主軌道部としての棒状のガイドシャフト３により、一端が摺動自在にガイドされている。
【００１８】
また、ピックアップ２の他端側には、シャーシ１上に副軌道部としてのガイド板４が設
けられており、これは長板状の板金よりなる。そして、このガイド板４とガイドシャフト
３との協働によりピックアップ２がガイドされる。なお、ピックアップ２上でガイドシャ
フト３近傍には、軸方向に沿って延在するラック部２ａが設けられており、これが図示し
ないピックアップ駆動機構と連動することにより、ピックアップ２がガイドシャフト３に
沿って駆動される。
【００１９】
一方、ピックアップの軌道部の一端側には、シャーシ１の部分よりなるブラケット１ａ
が、台形状に隆起して設けられており、その上面にはディスクを載置して回転するターン
テーブル５が突設し、下面にはそのターンテーブル５を回転させるスピンドルモータ１０
が突設している。
【００２０】
ディスクに対するピックアップの傾きを調整する際には、ガイド板４をその両端部でシ
ャーシ１に取り付けるとともに高さを調整する調整ネジ６各々を回すことにより、ディス
クの接線方向に関するピックアップ２の傾きを調整することができ、また、ガイドシャフ
ト３のターンテーブル側端部の高さを調整する調整ネジ７と、ターンテーブル側の前記調
整ネジ６とを回すことにより、ディスクの半径方向に関するピックアップ２の傾きを調整
することができる。即ち、ガイドシャフト３の傾き調整及び、ガイド板４の傾き，高さ調
整により、ピックアップ２について２軸３点の傾角調整を行うことができる。
【００２１】
図２は、ディスク再生装置の下側斜視図における、ガイド板４用の上記調整ネジ６付近
の拡大図であり、同図（ａ）がターンテーブル側を示し、同図（ｂ）がその反対側を示し
ている。同図（ａ）及び図１に示したように、ピックアップ２の他端には、側面視コの字
状の係合部２ｂが設けられており、これによりガイド板４を挟持しているので、このガイ
ド板４をその両端部における調整ネジ６各々の旋回により上下させることで、これに連動
して係合部２ｂが上下し、ひいてはピックアップ２がガイドシャフト３を中心に回動し、
ディスク接線方向の傾きが調整される仕組みである。
【００２２】
なお、ピックアップ駆動時には係合部２ｂがガイド板４に沿って摺動しつつ移動する。
この場合、係合部２ｂの天井面がガイド板４の上面を摺動するので、摩擦を考慮して、ガ
イド板４の上面にいわゆるグリスを塗布する等の滑面処理を施すことが望ましい。
【００２３】
さて、ガイド板４はその両端部において、シャーシ１に対して圧縮コイルバネ８を介し
て調整ネジ６により取り付けられている。具体的には、図２に示すように、ガイド板４の
両端部に対応するシャーシ１側の位置に、バーリング加工を施して雌ネジを切ったいわゆ
る突き出しタップ１ｂを設けておき、これに圧縮コイルバネ８を填め込んだ状態で、ガイ
ド板４両端部に開けられた図示しない取付孔に調整ネジ６を通しつつ、これを前記突き出
しタップ１ｂに螺合させる。この状態では、圧縮コイルバネ８によりガイド板４がシャー
シ１から離れる方向に常に付勢されているので、調整ネジ６を旋回させることによりネジ
頭が上下し、ガイド板４，シャーシ１間の距離を微調整することができる。
【００２４】
図３は、ガイドシャフト３用の上記調整ネジ７付近の拡大図であり、同図（ａ）は斜視
図、同図（ｂ）は軸方向から見た図である。同図及び図１（ｂ）に示したように、ガイド
シャフト３のターンテーブルとは反対側の端部近傍には、調整ネジ７が設けられており、
この端部を調整ネジ７の旋回により上下させることで、ガイドシャフト３がターンテーブ
ル側端部を中心に回動する。また、上記ガイド板４のターンテーブルとは反対側の端部を
、その調整ネジ６の旋回により上下させることで、ガイド板４がターンテーブル側端部を
中心に回動する。これらにより、ピックアップ２が軌道部のターンテーブル側端部を中心
に回動し、ディスク半径方向の傾きが調整される仕組みである。
【００２５】
さて、ガイドシャフト３は、ターンテーブルとは反対側の端部において、圧縮コイルバ
ネ９を介して調整ネジ７等により取り付けられている。具体的には、図３に示すように、
このガイドシャフト３端部に対応するシャーシ１側の位置に、図示しないバーリング加工
部を設けておき、これに圧縮コイルバネ９を填め込んだ状態で、ガイドシャフト３端部に
圧縮コイルバネ９の先端を係合させる。また、ガイドシャフト３端部近傍において、皿ビ
スである調整ネジ７をシャーシ１に設けた図示しないネジ孔１ｅと螺合させて立設させ、
そのテーパ面７ａをガイドシャフト３外周面に当接させた状態とする。
【００２６】
さらに、ガイドシャフト３端部近傍で調整ネジ７と反対側の位置に、シャーシ１からの
切り起こし片１ｃを設け、その側壁にガイドシャフト３外周面を当接させた状態とする。
この状態では、圧縮コイルバネ９によりガイドシャフト３端部がシャーシ１から離れる方
向に常に付勢されており、その反作用として調整ネジ７のテーパ面７ａよりガイドシャフ
ト３を切り起こし片１ｃの側壁及び下方へと押さえつける力が働いている。そこで、この
状態で調整ネジ７を旋回させることによりネジ頭が上下し、ガイドシャフト３端部，シャ
ーシ１間の距離を微調整することができる。
【００２７】
一方、ガイドシャフト３のターンテーブル側端部は、図１（ｂ）に示すように、シャー
シ１からの切り起こし片１ｄに開けられたシャフト孔１ｄａに差し込まれ支持される構造
となっている。なお、本実施例では調整ネジ７等をガイドシャフト３のターンテーブルと
反対側の端部に設けた構成としているが、これに限定される訳では勿論なく、ターンテー
ブル側端部に設けても構わない。なお、上記各調整ネジによる傾角調整が終了すると、い
わゆるネジロック剤によりこれらの調整ネジが固定され、振動等による位置ズレが防止さ
れる。
【００２８】
以上示したように、本考案では、ピックアップの副軌道部として長板状の板金の両端部
に取付孔を開けただけの部品を用いており、またシャーシも板金部品としていて、さらに
は傾角調整用の部品として一般的なビス及び圧縮コイルバネを用いただけのシンプルな構
成としているので、コストメリットがあり、しかも高精度な調整が可能な傾角調整機構を
実現することができる。
【産業上の利用可能性】
【００２９】
本考案の構成は、光ピックアップの傾角調整のみならず、磁気ディスク装置等、他の電
子機器における傾角調整用にも適用可能である。
【図面の簡単な説明】
【００３０】
【図１】本考案の実施例１に係る傾角調整機構を用いたディスク再生装置の斜視図。
【図２】ガイド板用の調整ネジ付近の拡大図。
【図３】ガイドシャフト用の調整ネジ付近の拡大図。
【図４】従来の傾角調整機構を用いたディスク再生装置の上側要部斜視図。
【図５】Ｔａｎ調整ネジ付近の拡大図。
【図６】Ｒａｄ調整ネジ付近の拡大図。
【符号の説明】
【００３１】
１    シャーシ
１ａ    ブラケット
１ｂ    突き出しタップ
１ｃ    切り起こし片
１ｄ    切り起こし片
１ｅ    ネジ孔
２    ピックアップ
２ａ    ラック部
２ｂ    係合部
３    ガイドシャフト
４    ガイド板
５    ターンテーブル
６    調整ネジ
７    調整ネジ
７ａ    テーパ面
８    圧縮コイルバネ
９    圧縮コイルバネ
１０    スピンドルモータ
【図１】
0003110698.tif 000003
【図２】
0003110698.tif 000004
【図３】
0003110698.tif 000005
【図４】
0003110698.tif 000006
【図５】
0003110698.tif 000007
【図６】
0003110698.tif 000008